(57)【要約】【課題】着信者の電話端末の電話帳に登録していない発信者からの電話に対して、着信者が不安を覚えずに応答することができるような電話端末及びこれを用いて送受信する方法を提供する。【解決手段】発信者が発信端末において適宜入力した文字あいさつメッセージが発呼時に電話番号とともに送信されて、着信者の電話端末の電話帳に発信番号の登録がない場合に該メッセージを発信番号とともに表示することにより、着信者は発信者を認識して応答することができる。【選択図】図１
2007288663.tif 000002
【特許請求の範囲】
【請求項１】
表示部及び電話番号記憶手段を備え、通話及びデータ通信が可能な電話端末であって、
着呼に伴って発信番号と文字メッセージデータとを受信した場合に、前記文字メッセージデータを発信番号と対応させて一時的に記憶する記憶手段と、
前記発信番号と前記電話番号記憶手段に記憶された電話番号とが不一致の場合に前記記憶手段から前記発信番号に対応する前記文字メッセージデータを取り出して、これを前記発信番号とともに前記表示部によって表示する着信制御手段と、
を含む電話端末。
【請求項２】
前記記憶手段が、前記文字メッセージデータを通話開始までは保持することを特徴とする請求項１記載の電話端末。
【請求項３】
表示部及び電話番号記憶手段を備え、通話及びデータ通信が可能な電話端末による送受信方法であって、
発信側の電話端末から発呼に伴って発信番号と文字メッセージデータとを発信し、
着信側の電話端末において、前記発信番号と前記文字メッセージデータとを着呼に伴って受信し、
前記着信側の電話端末において、前記文字メッセージデータを発信番号と対応させて記憶し、
前記着信側の電話端末において、前記発信番号と前記電話番号記憶手段に記憶された電話番号とが不一致の場合に前記記憶手段から前記発信番号に対応する前記文字メッセージデータを取り出して、これを前記発信番号とともに前記表示部によって表示することを特徴とする方法。
【発明の詳細な説明】
【技術分野】
【０００１】
本発明は電話端末に関し、特に改善された発信者情報を着信時に表示するようになされた電話端末及びその送受信方法に関する。
【背景技術】
【０００２】
携帯電話・ＰＨＳ端末（以下、移動通信端末と称する）では着信の際、発信者が非通知設定・通知不可能・公衆電話発信の回線等でない限りディスプレイに発信番号が表示されるだけでなく、着信者の移動通信端末の電話帳に登録してある電話番号からの着信については発信番号とともに発信番号に対応する氏名を表示できることが知られている（非特許文献１）。これは、移動通信端末のメモリにあらかじめ記憶させた電話番号及び氏名等の情報と呼制御信号に含まれる発信番号との対応関係を利用して行われている。
【非特許文献１】フリー百科事典「ウィキペディア（Wikipedia）」携帯電話「デジタル化後の携帯電話の動向」、［平成１８年４月１０日検索］、（URL:  HYPERLINK "http://ja.wikipedia.org/wiki/%E6%90%BA%E5%B8%AF%E9%9B%BB%E8%A9%B1#.E3.83.87.E3.82.B8.E3.82.BF.E3.83.AB.E5.8C.96.E5.BE.8C.E3.81.AE.E6.90.BA.E5.B8.AF.E9.9B.BB.E8.A9.B1.E3.81.AE.E5.8B.95.E5.90.91" http://ja.wikipedia.org/wiki/%E6%90%BA%E5%B8%AF%E9%9B%BB%E8%A9%B1#.E3.83.87.E3.82.B8.E3.82.BF.E3.83.AB.E5.8C.96.E5.BE.8C.E3.81.AE.E6.90.BA.E5.B8.AF.E9.9B.BB.E8.A9.B1.E3.81.AE.E5.8B.95.E5.90.91）
【発明の開示】
【発明が解決しようとする課題】
【０００３】
しかしながら、上記の発信者情報表示方法では、あらかじめ着信先移動通信端末の電話帳に登録した電話番号から着信があった場合のみ氏名を表示可能であって、登録していない番号からの着信には、電話番号のみが表示されるため発信者を特定できないという問題があった。
【０００４】
また、昨今の携帯電話を悪用した犯罪の増加を背景として、着信者自身が電話番号登録をしていない人物からの着信については応答に躊躇することや応答しない場合さえもある。よって、どこでも発着信が可能であるという移動通信端末の利点が十分に活用されていないという問題もあった。
【０００５】
そこで、本発明の目的は、着信者の移動通信端末に登録していない発信者からの電話に対して、着信者が不安を覚えずに応答することができるような移動通信端末を提供することである。
【課題を解決するための手段】
【０００６】
本発明による電話端末は、表示部及び電話番号記憶手段を備え、通話及びデータ通信が可能な電話端末であって、着呼に伴って発信番号と文字メッセージデータとを受信した場合に、該文字メッセージデータを発信番号と対応させて一時的に記憶する記憶手段と、該発信番号と該電話番号記憶手段に記憶された電話番号とが不一致の場合に該記憶手段から該発信番号に対応する該文字メッセージデータを取り出して、これを該発信番号とともに該表示部によって表示する着信制御手段と、を含む。
【０００７】
本発明による送受信方法は、表示部及び電話番号記憶手段を備え、通話及びデータ通信が可能な電話端末による送受信方法であって、発信側の電話端末から発呼に伴って発信番号と文字メッセージデータとを発信し、着信側の電話端末において、該発信番号と該文字メッセージデータとを着呼に伴って受信し、該着信側の電話端末において、該文字メッセージデータを発信番号と対応させて記憶し、該着信側の電話端末において、該発信番号と該電話番号記憶手段に記憶された電話番号とが不一致の場合に該記憶手段から該発信番号に対応する該文字メッセージデータを取り出して、これを該発信番号とともに該表示部によって表示することを特徴とする。
【発明の効果】
【０００８】
発信者があらかじめ、対面で交わすようなあいさつ文を文字メッセージとして登録しておけば、すばやく人物を特定できて安心して応答することができるだけでなく、スムーズなコミュニケーションを促進する。また、電話番号の変更通知を文字メッセージにすれば知人に容易に電話番号の変更を知らせることができる。さらに、他人または共用の電話機を使った場合でも、発信者が特定されるので、通話前に切断されてしまうといった事態を回避することができる。
【発明を実施するための形態】
【０００９】
以下、本発明の実施例を図面参照しつつ詳細に説明する。
【００１０】
図１は本発明の実施例に基づく移動通信端末１、２を示している。理解を容易にするために、発信端末１及び着信端末２には、それぞれ発信、着信に関係する構成要素のみを示すが、いずれの移動通信端末も両方の構成要素を有していることは言うまでもない。発信端末１と着信端末２とは、無線通信網である移動通信ネットワーク３を介して接続されている。
【００１１】
発信端末１は、発信動作を制御する発信機能部１０、入力メニューの選択と文字入力及び漢字変換機能等を有して文字データであるあいさつメッセージの作成とに用いられる文字キー２０、数字キー、文字キー及び発信キーを備えたダイヤルキー３０、作成されたあいさつメッセージデータを記憶する送信あいさつメッセージ記憶部４０を含む。発信端末１は、移動通信ネットワーク３に無線接続されていて、着信端末２と通信可能である。
【００１２】
発信機能部１０は、さらに、あいさつメッセージ登録部１０１、電話発信部１０２、あいさつメッセージ送信部１０３の各処理モジュールから成る。
【００１３】
あいさつメッセージ登録部１０１は、電話発信前の適当な時に発信者により文字キー２０から入力される送信あいさつメッセージデータの作成及び／または編集を行って、送信あいさつメッセージ記憶部４０に記憶させる。
【００１４】
電話発信部１０２は、発信者によるダイヤルキーからの着信先の電話番号入力及び発呼指示を受けて、発呼を行う。また、あいさつメッセージ送信部１０３にあいさつメッセージ送信の指示を行う。あいさつメッセージ送信部１０３は、発呼と同時に、電話発信部１０２が受け付けた着信先電話番号へ送信すべきあいさつメッセージデータを送信あいさつメッセージ記憶部４０から抽出して送信する。
【００１５】
着信端末２は、着呼及びあいさつメッセージデータ受信動作を制御する着信制御手段である着信機能部５０、あいさつメッセージ等の表示を行う表示部６０、氏名及び電話番号等の情報データを記憶している電話番号記憶手段である電話帳７０、受信した受信あいさつメッセージデータを一時的に記憶しておく記憶手段である受信あいさつメッセージ一時記憶部８０などの機能部を含む。着信端末２は、移動通信ネットワーク３に無線接続されていて、発信端末１と通信可能である。
【００１６】
着信機能部５０は、さらに、電話着信部２０１、あいさつメッセージ受信部２０２の各処理モジュールから成る。
【００１７】
電話着信部２０１は、移動通信ネットワーク３を介して着呼があると、着呼制御信号に含まれていて数字や文字からなっていてもよい発信番号を電話帳７０に記憶された電話番号と照合する。照合の結果、電話帳７０に登録されていない電話番号からの着信であれば、受信あいさつメッセージ一時記憶部８０に記憶された、該発信番号に対応する受信あいさつメッセージデータを取り出して、表示部６０に発信番号とともに表示させる。また、あいさつメッセージデータを受信する前に着呼があった場合は、受信したあいさつメッセージデータを即座に表示部６０に発信番号とともに表示させる。
【００１８】
あいさつメッセージ受信部２０２は、あいさつメッセージデータを受信すると、受信あいさつメッセージ一時記憶部８０に発信番号に対応させて受信したあいさつメッセージデータを記憶させる。
【００１９】
次に、図１に示した構成を含む移動通信端末の、（i）あいさつメッセージ登録、（ii）あいさつメッセージ付き電話発信、（iii）あいさつメッセージ受信、（iv）電話着信、の各処理手順について説明する。
（i）あいさつメッセージ登録
図２は、図１に示した発信端末１におけるあいさつメッセージ登録処理の手順を示している。本登録処理は、移動通信端末利用者の所望する時に実施することができる。
【００２０】
先ず、電話発信を行おうとする移動通信端末利用者は、発信端末１において、文字キー２０を用いてあいさつメッセージ入力メニューを選択する（Ｓ１）。あいさつメッセージ入力メニューが選択されると、あいさつメッセージ登録部１０１は、表示部（図示せず）にメッセージ入力画面（図示せず）を表示させて入力を促進する（Ｓ２）。利用者は文字キー２０を用いて、メッセージ入力画面（図示せず）にて適宜あいさつメッセージ文を入力する（Ｓ３）。入力が完了すると、あいさつメッセージ登録部１０１は、入力されたあいさつメッセージ文の登録を行って（Ｓ４）、送信あいさつメッセージ記憶部４０に文字あいさつメッセージデータとして記憶させる（Ｓ５）。
（ii）あいさつメッセージ付き電話発信
図３は、図１に示した発信端末１におけるあいさつメッセージ付き電話発信の手順を示している。
【００２１】
先ず、移動通信端末利用者により、発信端末１のダイヤルキー３０を用いて通話を所望する相手の移動通信端末の電話番号及び発信指示が入力される（Ｓ１１）。発信指示により電話発信部１０２は、あいさつメッセージ送信部１０３にあいさつメッセージを送信するよう指示する（Ｓ１２）。指示を受けたあいさつメッセージ送信部１０３は、送信あいさつメッセージ記憶部４０に送信あいさつメッセージ取り出しを指示し（Ｓ１３）、指示されたあいさつメッセージデータが取り出されると（Ｓ１４）、あいさつメッセージ送信部１０３はこれを送信する（Ｓ１５）。あいさつメッセージデータの発信とともに電話発信部１０２により発呼がなされて、発信番号も送信される（Ｓ１６）。このとき、あいさつメッセージデータを、例えば、ショートメッセージサービス（ＳＭＳ）などの手段により送信してもよい。ショートメッセージサービスでは、通常同じ携帯事業者の携帯電話同士で数１０文字程度の文字メッセージを送受信可能である。
（iii）あいさつメッセージ受信
図４は、図１に示した移動通信端末２において、発信端末１から送信されたあいさつメッセージデータが受信されて処理される手順を示す。
【００２２】
先ず、着信端末２のあいさつメッセージ受信部２０２が、発信端末１が送信したあいさつメッセージデータを受信する（Ｓ２１）。あいさつメッセージ受信部２０２は、受信したメッセージデータを、一旦、受信あいさつメッセージ一時記憶部８０に、受信したメッセージデータから取り出した発信番号と対応させて記憶させる（Ｓ２２）。さらに、同じ発信番号で着信中か否かを判断して（Ｓ２３）、電話着信機能部２０１に報告する。同じ発信番号で着信中であれば、対応するあいさつメッセージデータの受信より先に着呼が成されているため、電話着信機能部２０１により、即座にあいさつメッセージ文と発信番号の組合せを表示部６０に表示するよう指示される（Ｓ２４）。
【００２３】
表示部６０は、指示に従って受信あいさつメッセージデータを発信番号と組み合わせて表示する（Ｓ２５）。その後、あいさつメッセージ受信部２０２から、受信あいさつメッセージ一時記憶部８０からあいさつメッセージデータを削除することが適宜指示される（Ｓ２６）。受信あいさつメッセージ一時記憶部８０からあいさつメッセージデータが削除される（Ｓ２７）。通常、あいさつメッセージデータは、早くても通話開始時までは保持されている。なお、同じ発信番号からの着信中でない場合は、Ｓ２４乃至Ｓ２６の動作は行なわれずに、あいさつメッセージ受信動作は完了となる。
（iv）電話着信
図５は、図１に示した移動通信端末２における発信端末１からの着呼からあいさつメッセージ表示までの手順を示している。
【００２４】
電話着信部２０１に、発信端末１からの発信番号を含む着呼がある（Ｓ３１）。電話着信部２０１は、電話帳７０に発信番号と一致する電話帳データの有無の検索を指示する（Ｓ３２）。電話帳７０において検索がなされ、検索の結果発信番号と一致する電話番号データが存在しない場合（Ｓ３３）、電話着信部２０１は、受信あいさつメッセージ一時記憶部８０に記憶した該発信番号に対応するあいさつメッセージデータの取り出しを指示する（Ｓ３４）。受信あいさつメッセージ一時記憶部８０において対応するあいさつメッセージデータが取り出される（Ｓ３５）。
【００２５】
電話着信部２０１は、取り出したあいさつメッセージデータと発信番号の組合せを表示部６０に表示するよう指示する（Ｓ３６）。表示部６０は、取り出したあいさつメッセージデータを発信番号と組み合わせて表示する（Ｓ３７）。
【００２６】
なお、発信番号が電話帳７０に記憶されているときは、従来のように、電話着信部２０１は電話帳７０に登録されている氏名と発信番号との組合せを表示部６０に表示させ、記憶したあいさつメッセージデータを受信あいさつメッセージ一時記憶部８０から削除させる。
【００２７】
以上の実施例では、移動通信端末が例として説明されたが、本発明は、移動通信端末のみならず、通話及びデータ通信が可能な通信端末に適用される。例えば、固定電話端末やＩＰ電話端末などにも適用可能である。
【００２８】
本実施例の変化形として、メッセージを複数種類用意し、公私の別や参加コミュニティごとに適切なメッセージを選択するようになすことも可能である。
【００２９】
また、移動通信端末の電話帳への登録の有無にかかわらず、発呼毎にあいさつメッセージを添付して通信相手の端末に表示するようになすことも可能である。この場合、例えば家族には「父より」、旅行仲間には「繁田＠夫」のように、着信相手に適したメッセージを送信して着信端末に表示させることもできる。
【図面の簡単な説明】
【００３０】
【図１】本発明による実施例を示し、発信端末及び受信端末としてそれぞれ発信及び受信機能に関係する各構成を示したブロック図である。
【図２】発信端末におけるあいさつメッセージ登録の処理手順を示すシーケンス図である。
【図３】発信端末におけるあいさつメッセージ付き電話発信の手順を示すシーケンス図である。
【図４】着信端末におけるあいさつメッセージ受信の手順を示すシーケンス図である。
【図５】着信端末における着呼からあいさつメッセージ表示までの手順を示すシーケンス図である。
【符号の説明】
【００３１】
１      発信端末
２      着信端末
３      移動通信ネットワーク
１０    発信機能部
２０    文字キー
３０    ダイヤルキー
４０    送信あいさつメッセージ記憶部
５０    着信機能部
６０    表示部
７０    電話帳
８０    受信あいさつメッセージ一時記憶部
１０１  あいさつメッセージ登録部
１０２  電話発信部
１０３  あいさつメッセージ送信部
２０１  電話着信部
２０２  あいさつメッセージ受信部
【図１】
2007288663.tif 000003
【図２】
2007288663.tif 000004
【図３】
2007288663.tif 000005
【図４】
2007288663.tif 000006
【図５】
2007288663.tif 000007